(57)【要約】 【課題】オーバーヘッドドア下端の断熱性能を向上させる。【解決手段】オーバーヘッドドアの扉体の下端には、弾性部材からなる中空状のボトム要素６が固定されており、ボトム要素６は、扉体の下端の内外方向の一側に固定した第１固定部６０と、内外方向の他側に固定した第２固定部６１と、第１固定部６０から下方に延びる第１部分６２と、第２固定部６１から下方に延びる第２部分６３と、第１部分６２の下端側と第２部分６３の下端側を接続する略水平状の第３部分６４とから一体形成されており、扉体の下端には、ボトム要素６の中空部に位置して、弾性部材からなる仕切り要素８が固定されており、ボトム要素６の第３部分６４が着床した時に、前記仕切り要素８によって中空部内に内外方向に隣接して複数の空間Ｓ１、Ｓ２、Ｓ３が形成される。【選択図】図３
2020133156.tif 000002
【特許請求の範囲】
【請求項１】
複数枚のパネルを高さ方向に連結してなる扉体によって開口部を閉鎖して内外を区画するオーバーヘッドドアにおいて、
前記扉体の下端には、弾性部材からなる中空状のボトム要素が固定されており、前記ボトム要素は、前記扉体の下端の内外方向の一側に固定した第１固定部と、内外方向の他側に固定した第２固定部と、第１固定部から下方に延びる第１部分と、第２固定部から下方に延びる第２部分と、第１部分の下端側と第２部分の下端側を接続する略水平状の第３部分とから一体形成されており、
前記扉体の下端には、前記ボトム要素の中空部に位置して、弾性部材からなる仕切り要素が固定されており、前記ボトム要素の前記第３部分が着床した時に、前記仕切り要素によって前記中空部内に内外方向に隣接して複数の空間が形成される、
オーバーヘッドドア下端の断熱構造。
【請求項２】
前記仕切り要素は、前記扉体の下端に内外方向に離間して固定された第１固定部及び第２固定部と、第１固定部から下方に延びる第１部分と、第２固定部から下方に延びる第２部分と、第１部分の下端側と第２部分の下端側を接続する略水平状の第３部分とから一体形成されており、
前記ボトム要素が着床した時に、前記仕切り要素の前記第３部分が前記ボトム要素の前記第３部分に密着し、前記中空部内に内外方向に隣接して３室の空間が形成される、
請求項１に記載のオーバーヘッドドア下端の断熱構造。
【請求項３】
前記仕切り要素は、前記扉体の下端に固定された１つ以上のフィンであり、
前記ボトム要素が着床した時に、前記１つ以上のフィンの下端部位が前記ボトム要素の前記第３部分に密着し、前記中空部内に内外方向に隣接して複数の空間が形成される、
請求項１に記載のオーバーヘッドドア下端の断熱構造。
【請求項４】
前記仕切り要素は、前記扉体の下端に内外方向に離間して固定された第１フィンと、第２フィンと、からなり、前記第１フィンは、上端の第１固定部において前記扉体の下端に固定されており、前記第２フィンは、上端の第２固定部において前記扉体の下端に固定されており、
前記ボトム要素が着床した時に、前記第１フィンの下端部位、前記第２フィンの下端部位が、それぞれ、前記ボトム要素の前記第３部分に密着し、前記中空部内に内外方向に隣接して３室の空間が形成される、
請求項３に記載のオーバーヘッドドア下端の断熱構造。
【請求項５】
前記扉体の下端には、前記ボトム要素の第１固定部、第２固定部が固定されるリテーナが設けてあり、
前記リテーナの下面には、前記仕切り要素の第１固定部、第２固定部が固定される被固定部が内外方向に離間して形成されている、
請求項２、４いずれか１項に記載のオーバーヘッドドア下端の断熱構造。
【請求項６】
開口部全閉時において、前記扉体は第１面部が室内側、第２面部が室外側に位置しており、前記ボトム要素の前記第１部分が室内側、前記第２部分が室外側に位置しており、前記第２部分は、前記扉体の外側の第２面部と略面一の垂直面となっており、
前記ボトム要素の前記第３部分が着床した時に、前記扉体の前記第２面部が躯体に近接対向し、前記ボトム要素の前記第２部分が、少なくとも高さ方向の半分以上において前記躯体に密着する、
請求項１〜５いずれか１項に記載のオーバーヘッドドア下端の断熱構造。
【請求項７】
前記躯体には、開口部全閉時に扉体の第２面部の幅方向両端部が接触するように、高さ方向に延びる気密材が設けてあり、
前記気密材の下端は床面に達しており、前記ボトム要素の前記第３部分が着床した時に、前記ボトム要素の前記第２部分は、前記躯体に設けられた前記気密材に密着する、
請求項６に記載のオーバーヘッドドア下端の断熱構造。
【発明の詳細な説明】
【技術分野】
【０００１】
本発明は、オーバーヘッドドア下端の断熱構造に関するものである。
【背景技術】
【０００２】
オーバーヘッドドアは、倉庫やガレージ等の建物の屋外と屋内とを連通する開口部に設置する建具として知られている。オーバーヘッドドアの扉体は、横長方形状の複数枚のセクションすなわちパネルを、ヒンジを介して上下方向に互いに回動可能に連結することで構成されており、各パネルの幅方向左右両端のガイドローラが開口部の幅方向左右に設けたガイドレールに案内されながら上昇、下降することで開口部を開閉する。
【０００３】
オーバーヘッドドアの扉体の下端には、通常、ゴム製ないし樹脂製の中空状の緩衝材が設けられており（特許文献１参照）、開口部全閉時には、緩衝材が床面に密着して扉体と床面との隙間を密閉する。この中空状の緩衝材は、扉体下端の着床時の緩衝機能に加えて、開口部全閉時の気密材として機能する。
【０００４】
気密性能が要求されるオーバーヘッドドアにおいては、開口部全閉時には、オーバーヘッドドアの扉体の下端の緩衝材が床面に密着し、扉体の室外側面部の幅方向両端部が躯体（典型的には、躯体に設けた気密材）に接触することで、開口部の三方（左右両端及び下端）を塞ぐようになっている。しかしながら、特にオーバーヘッドドアを断熱用途とした場合に、従来の気密構造では、扉体の下端部位の断熱性能、気密性能（特に、扉体の幅方向左右側の下端部位）が必ずしも十分ではなく、扉体の下端部位の断熱性能、気密性能の確保が課題となっていた。
【０００５】
図７に例示する従来の緩衝材６´は、中空状の弾性ゴムからなり、緩衝材６´は、最下位のパネル１の下端のリテーナ７´の室内側部位の装着部Ｐ１´に固定した第１固定部６０´と、最下位のパネル１の下端のリテーナ７´の室外側部位の装着部Ｐ２´に固定した第２固定部６１´と、第１固定部６０´から下方に延びる第１部分６２´と、第２固定部６１´から下方に延びる第２部分６３´と、第１部分６２´の下端側と第２部分６３´の下端側を接続する略水平状の第３部分６４´とから一体形成されている。
【０００６】
図７に示すように、オーバーヘッドドアの扉体下端の緩衝材６´は中空状のゴム部材から形成されており、開口部全閉時において、扉体下端と床面ＦＬとの間を密閉するが、開口部全閉時において、緩衝材６´の中空部内の空気を介した熱伝達の影響については全く考慮されていない。
【０００７】
開口部全閉時において、パネル１の室外側面部１１の幅方向両端部は、躯体２０の見付面２００に設けた第１気密材９Ａ、第２気密材９Ｂに接触するが（図８参照）、パネル１の下端の緩衝材６´の第２部分６３´は、第１気密材９Ａ、第２気密材９Ｂから離間しており、パネル１の幅方向左右両端の下端部位に室内外で連通する隙間が生じ、当該隙間が空気の侵入路を形成する（図９参照）。従来の緩衝材６´は、扉体下端と床面との気密性を確保するものではあるが、扉体の幅方向左右両端の下端部位の気密性については十分に考慮されていない。
【特許文献１】特開２０１７−２１４７４５
【発明の開示】
【発明が解決しようとする課題】
【０００８】
本発明は、オーバーヘッドドア下端の断熱性能を向上させることを目的とするものである。
【課題を解決するための手段】
【０００９】
本発明が採用した技術手段は、
複数枚のパネルを高さ方向に連結してなる扉体によって開口部を閉鎖して内外を区画するオーバーヘッドドアにおいて、
前記扉体の下端には、弾性部材からなる中空状のボトム要素が固定されており、前記ボトム要素は、前記扉体の下端の内外方向の一側に固定した第１固定部と、内外方向の他側に固定した第２固定部と、第１固定部から下方に延びる第１部分と、第２固定部から下方に延びる第２部分と、第１部分の下端側と第２部分の下端側を接続する略水平状の第３部分とから一体形成されており、
前記扉体の下端には、前記ボトム要素の中空部に位置して、弾性部材からなる仕切り要素が固定されており、前記ボトム要素の前記第３部分が着床した時に、前記仕切り要素によって前記中空部内に内外方向に隣接して複数の空間が形成される、
オーバーヘッドドア下端の断熱構造、である。
１つの態様では、前記ボトム要素、前記仕切り要素は、ゴム製ないし樹脂製である。
１つの態様では、開口部全閉時において、前記扉体は第１面部が室内側、第２面部が室外側に位置しており、前記ボトム要素の前記第１部分が室内側、前記第２部分が室外側に位置しており、前記躯体には、開口部全閉時に扉体の第２面部の幅方向両端部及び前記ボトム要素の前記第２部分の少なくとも一部が接触するように、高さ方向に延びる気密材が設けてあり、開口部全閉時において、前記ボトム要素の長さ方向両端部は、前記気密材によって室外側空間から隔てられた空間に位置している。
【００１０】
１つの態様では、前記仕切り要素は、前記扉体の下端に内外方向に離間して固定された第１固定部及び第２固定部と、第１固定部から下方に延びる第１部分と、第２固定部から下方に延びる第２部分と、第１部分の下端側と第２部分の下端側を接続する略水平状の第３部分とから一体形成されており、
前記ボトム要素が着床した時に、前記仕切り要素の前記第３部分が前記ボトム要素の前記第３部分に密着し、前記中空部内に内外方向に隣接して３室の空間が形成される。
【００１１】
１つの態様では、前記仕切り要素は、前記扉体の下端に固定された１つ以上のフィンであり、
前記ボトム要素が着床した時に、前記１つ以上のフィンの下端部位が前記ボトム要素の前記第３部分に密着し、前記中空部内に内外方向に隣接して複数の空間が形成される。
１つの態様では、前記仕切り要素は、前記扉体の下端に内外方向に離間して固定された第１フィンと、第２フィンと、からなり、前記第１フィンは、上端の第１固定部において前記扉体の下端に固定されており、前記第２フィンは、上端の第２固定部において前記扉体の下端に固定されており、
前記ボトム要素が着床した時に、前記第１フィンの下端部位、前記第２フィンの下端部部位が、それぞれ、前記ボトム要素の前記第３部分に密着し、前記中空部内に内外方向に隣接して３室の空間が形成される。
１つの態様では、前記第１フィンの下端部位と前記第２フィンの下端部位は互いに離間するように延びている。
【００１２】
１つの態様では、扉体の下端にはリテーナが設けてあり、前記ボトム要素、前記仕切り要素は、前記リテーナに取り付けられている。
１つの態様では、前記扉体の下端には、前記ボトム要素の第１固定部、第２固定部が固定されるリテーナが設けてあり、
前記リテーナの下面には、前記仕切り要素の第１固定部、第２固定部が固定される被固定部が内外方向に離間して形成されている。
【００１３】
１つの態様では、開口部全閉時において、前記扉体は第１面部が室内側、第２面部が室外側に位置しており、前記ボトム要素の前記第１部分が室内側、前記第２部分が室外側に位置しており、前記第２部分は、前記扉体の外側の第２面部と略面一の垂直面となっており、
前記ボトム要素の前記第３部分が着床した時に、前記扉体の前記第２面部が躯体に近接対向し、前記ボトム要素の前記第２部分が、少なくとも高さ方向の半分以上において前記躯体に密着する。
１つの態様では、前記第２部分の密着部は、当該第２部分の上半部位を含む。
１つの態様では、前記ボトム要素の前記第３部分が着床した時に、着床により垂直姿勢を概ね維持しつつ膨出状に弾性変形した前記ボトム要素の前記第２部分が、少なくとも高さ方向の半分以上において前記躯体に密着する。
１つの態様では、前記躯体には、開口部全閉時に扉体の第２面部の幅方向両端部が接触するように、高さ方向に延びる気密材が設けてあり、
前記気密材の下端は床面に達しており、前記ボトム要素の前記第３部分が着床した時に、前記ボトム要素の前記第２部分は、前記躯体に設けられた前記気密材に密着する。
１つの態様では、前記ボトム要素の前記第２部分の上端には水平面を備えた肩部が形成されており、前記肩部の水平面は前記扉体の下端の室外側部位（後述する実施形態では、リテーナ７の室外側下片７４）に面で当接している。
１つの態様では、前記肩部は、前記ボトム要素の他の部位に比べて肉厚である。
１つの態様では、前記ボトム要素の内外方向の寸法は、高さ寸法よりも大きい。
【発明の効果】
【００１４】
本発明では、ボトム要素の第３部分が着床した時に、仕切り要素によってボトム要素の中空部内に内外方向に隣接して複数の空間（いわば断熱空間）が形成されるので、室外側空間と室内側空間は複数の断熱空間を介して隣接することになり、ボトム要素の中空部を介した室内外の熱伝達を抑制し、オーバーヘッドドア下端の断熱性能を向上することができる。
開口部全閉時において、扉体の幅方向両端の下端部位に形成され得る隙間を可及的に小さくすることによって、かかる隙間を通る室内側空間と室外側空間の間の空気の流れを抑制して気密性能を向上し、もって断熱性能を向上させる。
また、開口部全閉時の扉体の幅方向両端の下端部位の隙間を可及的に小さくすることによって、防塵効果、防虫効果が得られる。
【図面の簡単な説明】
【００１５】
【図１】全閉姿勢にあるオーバーヘッドドアを室内側から見た正面図である。
【図２】全閉姿勢にあるオーバーヘッドドアの側面図である。
【図３】全閉姿勢にあるオーバーヘッドドアの扉体の下端部位の縦断面図であり、第１の実施形態に係る断熱構造を示す。
【図４】図３のＣ−Ｃ横断面図である。
【図５】全閉姿勢にあるオーバーヘッドドアの扉体の下端部位の縦断面図であり、第２の実施形態に係る断熱構造を示す。
【図６】（Ａ）は第１実施形態に係る仕切り要素の断面図、（Ｂ）はボトム要素の断面図、（Ｃ）は第２実施形態に係る仕切り要素の断面図である。
【図７】全閉姿勢にあるオーバーヘッドドアの扉体の下端部位の従来構造を示す縦断面図である。
【図８】図７のＡ−Ａ横断面図である。
【図９】図７のＢ−Ｂ横断面図である。
【発明を実施するための形態】
【００１６】
［Ａ］オーバーヘッドドアの全体構成
図１は、全閉姿勢にあるオーバーヘッドドアを室内側から見た正面図であり、図２はオーバーヘッドドアの側面図である。オーバーヘッドドアの扉体は、横長方形状の複数枚のパネル１を、丁番２を介して上下方向に互いに回動可能に連結することで構成されている。各パネル１の幅方向左右両端には、幅方向両端のヒンジを兼用すると共に、ガイドローラ３を回転自在に支持するローラブラケット４が設けてあり、扉体は、各パネル１の幅方向左右両端のガイドローラ３が開口部の幅方向左右に設けたガイドレール５に案内されながら上昇、下降することで開口部を開閉する。図２、図３、図５において、パネル１の右側が室内側、左側が室外側であり、図８において、パネル１の下側が室内側、上側が室外側である。本明細書において、全閉姿勢にあるパネル１の厚さ方向を内外方向と呼ぶ。
【００１７】
扉体の下端、すなわち、最下位のパネル１の下端には、開口部全閉時に床面ＦＬとパネル下端との隙間を塞ぐように弾性部材からなるボトム要素６が設けてある。本実施形態では、ボトム要素６は、ゴム製ないし樹脂製の中空部材であり、ウェザーストリップと称される場合もある。ボトム要素６は扉体下端の着床時の緩衝材、開口部全閉時の気密材としての機能を備えている。
【００１８】
本実施形態では、ボトム要素６は、最下位のパネル１の下端に設けたリテーナ７を介して取り付けられており、中空状のボトム要素６の内部には、弾性部材からなる仕切り要素８が固定されている。ボトム要素６及び仕切り要素８、リテーナ７の詳細な説明については後述する。本実施形態に係るオーバーヘッドドアは、好ましくは、断熱性能が要求される開口部（限定されないものの、例えば、冷蔵倉庫の開口部）に設置される。本実施形態に係るオーバーヘッドドアにおいて、扉体下端の断熱構造、扉体幅方向両端部の下端の気密構造を除く構成は従来のオーバーヘッドドアの構成を用いることができる。よって、従来構成（最下位パネル１の幅方向端部の高さ方向中間部位の横断面図）を示す図８は、本実施形態の説明に適用することができる。
【００１９】
図２に示すように、ガイドレール５は、開口部の高さ方向に延びる第１部位５０と、第１部位５０の上方から室内側に向かって後方に延びる湾曲状の第２部位５１と、第２部位５１の後方から天井ＣＬに沿って後方に延びる第３部位５２と、からなる。第１部位５０は、下方から上方に向かって室内側へ緩やかに傾斜している。第３部位５２は、室内側に向かって上方に緩やかに傾斜している。
【００２０】
扉体の下端のボトム要素６が床面ＦＬに着床する開口部全閉状態では、各パネル１はガイドレール５の第１部位５０に位置することで複数枚のパネル１がほぼ垂直姿勢となって開口部を閉鎖する。開口部全開状態では、各パネル１がほぼ垂直姿勢から第３部位５２に位置するほぼ水平姿勢まで移動して（最下位のパネル１は第２部位５１に位置する）、扉体が室内側空間の天井ＣＬに沿って横方向に延びた姿勢となって開口部を開放する。
【００２１】
開口部は、左右の躯体２０の見込面２０１の間に形成されており、ガイドレール５（第１部位５０）は、左右の躯体２０の見付面２００に支持されている。本実施形態では、ガイドレール５（第１部位５０）は、開口部のほぼ全高に亘って垂直状に延びる支持枠５００及び支持プレート５０１を介して、開口部左右の躯体２０の見付面２００から持ち出し状に支持されている（図８参照）。
【００２２】
図８に示すように、支持枠５００は、第１辺５０００と第２辺５００１とから断面視Ｌ形状を備えた長尺部材であり、第１辺５０００を躯体２０の見付面２００に重ねるようにして螺子２１によって躯体２０の見付面２００に連結されている（支持枠５００の構成については図９を参照することができる）。第１辺５０００が躯体２０の見付面２００に連結された状態において、第２辺５００１は、室内側に向かって見付面２００に対して垂直状に延びている。第２辺５００１の外面には、支持プレート５０１が面接触して連結されており、支持プレート５０１の室内側部位は、第２辺５００１の端部を超えて室内側に延びる延出部位となっており、延出部位の内面にガイドレール５が連結されている。なお、本実施形態では、支持枠５００と支持プレート５０１を別個の部材から構成したが、これらを一体形成してもよい。
【００２３】
図８に示すように、パネル１は、室内側面部１０と、室外側面部１１と、幅方向左右の側面１２を備えている。パネル１の幅方向両端部には、パネル１の室内側面部１０に密着する第１見付辺１２０と、パネル１の室外側面部１１に密着する第２見付辺１２１と、見込辺１２２と、から断面視ほぼコ字状に形成された縦框が設けてあり、見込辺１２２がパネル１の側面１２となっている。最上位のパネル１と最下位のパネル１の間に位置する複数枚の中間のパネル１は、凸状の上端部１３、凹状の下端部１４を備えており、開口部全閉状態では、上側に位置するパネル１の凹状の下端部１４に下側に位置するパネル１の凸状の上端部１３が嵌合するようになっている（図２参照）。パネル１の上端部１３、下端部１４の一方あるいは両方に弾性部材からなる気密材（図示せず）を設けて、開口部全閉状態において、上側に位置するパネル１の下端部１４と下側に位置するパネル１の上端部１３とが気密材を介して密着するようにしてもよい。
【００２４】
図８に示すように、扉体が全閉姿勢にある時に、パネル１の室外側面部１１の幅方向両端部（本実施形態では、室外側面部１１の幅方向両端部に設けられた端部プレート１２３）は、隙間を存して躯体２０の見付面２００に離間対向している。躯体２０には、フィン状の第１気密材９Ａ、中空状の第２気密材９Ｂが、開口幅方向に並んで、開口部の高さ方向に亘って設けられており、扉体が開口部全閉状態にある時に、パネル１の室外側面部１１が、高さ方向に亘って第１気密材９Ａ、第２気密材９Ｂに接触することで、パネル１の幅方向端部と躯体２０との間に室内外を連通する隙間が形成されないようにしている。
【００２５】
第１気密材９Ａは、躯体２０の見付面２００と見込面２０１との角部に基端が固定されており、先端が全閉姿勢（垂直姿勢）にあるパネル１の室外側面部１１に接触するようにパネル１の中央に向かって平面視傾斜状に延びている。第２気密材９Ｂは、第１気密材９Ａに対して開口部中央から離間した側に位置して、躯体２０の見付面２００に固定されており、全閉姿勢（垂直姿勢）にあるパネル１の室外側面部１１（端部プレート１２３）に接触するような断面寸法を有している。
【００２６】
気密材の形状、特に、第２気密材９Ｂの形状は図示の態様に限定されない。本実施形態では、第１気密材９Ａ、第２気密材９Ｂは、共に開口部の略全高に亘って延びているが、一方の気密材（例えば、第１気密材９Ａ）を開口部全高に亘って設け、他方の気密材（例えば、第２気密材９Ｂ）を開口部下方部位にのみ設けてもよい。本実施形態では、２つの気密材を設けているが、開口部全閉時に、１つの気密材によって、パネル１の幅方向端部と躯体との隙間を塞ぐようにしてもよい。
【００２７】
オーバーヘッドドアは、全閉姿勢の扉体の上動を規制する施錠装置を備えている。オーバーヘッドドアの扉体の下から２番目のパネル１の幅方向左右両端には、係止姿勢と退避姿勢の間で移動可能であり、係止姿勢をとるように付勢されている左右のラッチＬが設けてある。下降する扉体の下端のボトム要素６が床面ＦＬに着床して全閉状態となった時に、左右のラッチＬが、ガイドレール５の第１部分５０の所定高さ位置に設けられた左右のラッチ掛かり（図示せず）に係止して施錠状態となって扉体の上動が規制される。図１に示すように、パネル１の室内側面部１０の幅方向中央部位には、ワイヤＷ１、Ｗ２によって左右のラッチＬに連結された解錠操作部１５が設けてあり、開口部を開放する際には、解錠操作部１５の回動操作によって、施錠状態を解除して、扉体を上昇させる。
【００２８】
本実施形態に係るオーバーヘッドドアは手動式である。開口部の上方には、バランススプリング１６を備えた回転軸１７が配設されており、回転軸１７の両端部に軸支したドラム１８に一端をそれぞれ固定したワイヤ（図示せず）の他端は、最下位のパネル１の左右両端のワイヤ固定部１９（図８参照）にそれぞれ接続されており、バランススプリング１６の巻き上げ方向の付勢力によりワイヤを巻き取ることで、全閉姿勢にある扉体を上動させて開口部を開放する。最下位のパネル１の室内側面部１０の幅方向両端部位には、ワイヤが切断したような緊急時にパネル１の落下を防止する落下防止装置２２が設けてあり、落下防止装置２２は、カバー２２´によって覆われている。
【００２９】
［Ｂ］オーバーヘッドドア下端の断熱構造
本実施形態に係るボトム要素６は、中空状の弾性ゴムからなり、パネル１の幅方向に延びる長尺部材である。ボトム要素６は、最下位のパネル１の下端の室内側部位に固定した第１固定部６０と、最下位のパネル１の下端の室外側部位に固定した第２固定部６１と、第１固定部６０から下方に延びる第１部分６２と、第２固定部６１から下方に延びる第２部分６３と、第１部分６２の下端側と第２部分６３の下端側を接続する略水平状の第３部分６４とから一体形成されている。本実施形態では、開口部全閉時に、ボトム要素６の第１部分６２が室内側に位置し、第２部分６３が室外側に位置する。本実施形態に係るボトム要素６は、外力が作用しない変形前の状態において、内外方向の寸法は、高さ寸法よりも大きい。
【００３０】
より具体的には、図６（Ｂ）に示すように、ボトム要素６の第１固定部６０は、ボトム要素６の内外方向かつ長さ方向に水平に延びており、第１固定部６０の下面から室内側に向かって下向き傾斜状に接続片６００が延びている。ボトム要素６の第１部分６２は略垂直状に延びており、上端には水平状の上面を備えた肩部６２０が形成されており、接続片６００の下端は、肩部６２０の上面の内側端（第１部分６２から離間する側）に接続されている。ボトム要素６の第２固定部６１は、ボトム要素６の内外方向かつ長さ方向に水平に延びており、第２固定部６１の下面から室外側に向かって下向き傾斜状に接続片６１０が延びている。ボトム要素６の第２部分６３は略垂直状に延びており、上端には水平状の上面を備えた肩部６３０が形成されており、接続片６１０の下端は、肩部６３０の上面の内側端（第２部分６３から離間する側）に接続されている。
【００３１】
本実施形態において、ボトム要素６の肩部６２０、６３０は、他の部位に比べて肉厚となっている。この肉厚の肩部６２０、６３０は、ボトム要素６が比較的低背（内外方向の寸法が高さ寸法よりも大きい）であることと相俟って、ボトム要素６が着床して高さ方向に力が加わった時に、第１部分６２及び第２部分６３の過度の変形が抑制され、第１部分６２、第２部分６３の外側の垂直面が可及的に維持される。本実施形態において、開口部全閉状態における、扉体の幅方向左右両端の下端部位の気密性を論じる時には、ボトム要素６の第２部分６３と第１気密材９Ａ、第２気密材９Ｂの下端部位の関係が問題となる（図３、図４）。したがって、気密性能において、ボトム要素６の第２部分６３の形状が重要であって、第１部分６２の形状は必ずしも気密性能に実質的な影響を与えない。本実施形態に係るボトム要素６は断面視において内外方向に左右対称形状であるが、第１部分６２と第２部分６３が同じ形状であることは必須ではない。
【００３２】
開口部全閉状態において、ボトム要素６の第１部分６２が室内側空間に面しており、ボトム要素６の第２部分６３が室外側空間に面しており、開口部全閉状態において、ボトム要素６の第３部分６４が床面ＦＬに密着する。ボトム要素６の第２部分６３の長さ方向（パネル幅方向）の両端部位は、それぞれ、躯体２０の見付面２００に設けた第１気密材９Ａ、第２気密材９Ｂに接触している（図３、図４参照）。
【００３３】
最下位のパネル１の下端には、ボトム要素６の中空部に位置して、弾性部材からなる仕切り要素８が固定されている。仕切り要素８は、ボトム要素６の長さ方向（パネル幅方向）に延びる長尺部材である。仕切り要素８は、ボトム要素６の第３部分６４が着床した時に、ボトム要素６の内部空間を内外方向に仕切り、ボトム要素６の中空部内に内外方向に隣接して複数の空間Ｓ１、Ｓ２、Ｓ３が形成される。
【００３４】
図３、図４に示す仕切り要素８は、最下位のパネル１の下端に内外方向に離間して固定された第１固定部８０及び第２固定部８１と、第１固定部８０から下方に延びる第１部分８２と、第２固定部８１から下方に延びる第２部分８３と、第１部分８２の下端側と第２部分８３の下端側を接続する略水平状の第３部分８４とから一体形成されており、ボトム要素６が着床した時に、仕切り要素８の第３部分８４がボトム要素６の第３部分６４に密着し、ボトム要素６の中空部内に内外方向に隣接して３室の空間Ｓ１、Ｓ２、Ｓ３が形成される。
【００３５】
なお、仕切り要素８の第３部分８４とボトム要素６の第３部分６４は、少なくとも、開口部全閉時（ボトム要素６の着床時）に密着すればよく、ボトム要素６が着床する前の時点では、仕切り要素８の第３部分８４がボトム要素６の第３部分６４に密着していても、あるいは、仕切り要素８の第３部分８４がボトム要素６の第３部分６４から離間していてもよい。
【００３６】
本実施形態では、ボトム要素６及び仕切り要素８は、最下位のパネル１の下端に設けたリテーナ７に対して取り付けられている。リテーナ７は、パネル１の下端に位置してパネル幅方向に水平に延びるベース７０を備え、ベース７０には、ベース７０の内外方向の一端（室内側部位）の下面に形成した第１装着部Ｐ１、ベース７０の内外方向の一端（室外側部位）の下面に形成した第２装着部Ｐ２、ベース７０の内外方向の一端（室内側部位）の下面に、第１装着部Ｐ１の内側に位置して形成した第３装着部Ｐ３、ベース７０の内外方向の一端（室外側部位）の下面に、第２装着部Ｐ２の内側に位置して形成した第４装着部Ｐ４、を備えている。
【００３７】
より具体的には、図３に示すように、ベース７０の下面には、ベース７０の室内側端部から垂下する室内側見付片７１と、室内側見付片７１の下端から室外側に水平に延びる室内側下片７２と、ベース７０の室外側端部から垂下する室外側見付片７３と、室外側見付片７３の下端から室内側に水平に延びる室外側下片７４と、ベース７０の下面の室内側部位において、室内側見付片７１に対向して下向きに突出する第１凸条（パネル１の幅方向、リテーナ７の長さ方向に延びる）７５と、第１凸条７５の下端から室内側下片７２に向かって室内側に水平に延びる第１水平突片７６と、ベース７０の下面の室外側部位において、室外側見付片７３に対向して下向きに突出する第２凸条（パネル１の幅方向、リテーナ７の長さ方向に延びる）７７と、第２凸条７７の下端から室外側下片７４に向かって室外側に水平に延びる第２水平突片７８と、が形成されている。
【００３８】
ベース７０の下面の室内側部位と、室内側見付片７１と、室内側下片７２と、第１凸条７５と、第１水平突片７６で囲まれた空間が第１装着部Ｐ１となっている。ベース７０の下面の室外側部位と、室外側見付片７３と、室外側下片７４と、第２凸条７７と、第２水平突片７８で囲まれた空間が第２装着部Ｐ２となっている。第１凸条７５に長さ方向に亘って形成された断面視略円形状の溝部が第３装着部Ｐ３となっている。第２凸条７７に長さ方向に亘って形成された断面視略円形状の溝部が第４装着部Ｐ４となっている。
【００３９】
ベース７０の上面の室内側端部、室外端部には、それぞれ、水平状の溝部Ｇ１、Ｇ２が形成されており、パネル１の室内側面部１０、室外側面部１１をそれぞれ形成する表面材の下端の折り曲げ部が受け入れられている。リテーナ７の室内側見付片７１、室外側見付片７３は、それぞれ、パネル１の室内側面部１０、室外側面部１１と略同じ垂直面上にある（図３参照）。なお、図示のリテーナ７は１つの実施態様であって、リテーナ７の形状は、図示の態様に限定されるものではない。
【００４０】
図３に示すように、ボトム要素６の第１固定部６０が第１装着部Ｐ１に固定ないし装着され、ボトム要素６の第２固定部６１が第２装着部Ｐ２に固定ないし装着されている。ボトム要素６の第１固定部６０の室内側部位と、接続片６００の室内側部位と、第１部分６２の肩部６２０の上面から形成される溝部にリテーナ７の室内側下片７２が嵌合しており、第１固定部６０の室内側部位は、リテーナ７の室内側下片７２に係止（載置）しており、第１固定部６０の室外側部位は、リテーナ７の第１水平突片７６に係止（載置）しており、ボトム要素６の第１部分６２の垂直状の外面は、リテーナ７の室内側見付片７１の垂直状の外面よりも室内側に位置している。ボトム要素６の第１部分６２の上端の肩部６２０の上面は、リテーナ７の室内側下片７２の下面に当接している。
【００４１】
ボトム要素６の第２固定部６１の室外側部位と、接続片６１０の室外側部位と、第２部分６３の肩部６３０の上面から形成される溝部にリテーナ７の室外側下片７４が嵌合しており、第２固定部６１の室外側部位は、リテーナ７の室外側下片７４に係止（載置）しており、第２固定部６１の室内側部位は、リテーナ７の第２水平突片７８に係止（載置）しており、ボトム要素６の第２部分６３の垂直状の外面は、リテーナ７の室外側見付片７３の垂直状の外面よりも室外側に位置している。ボトム要素６の第２部分６３の上端の肩部６３０の上面は、リテーナ７の室外側下片７４の下面に当接している。
【００４２】
ボトム要素６が着床した時に、仕切り要素８の第３部分８４がボトム要素６の第３部分６４に密着し、ボトム要素６の中空部内に内外方向に隣接して３室の空間Ｓ１、Ｓ２、Ｓ３が形成される。具体的には、ボトム要素６の第１部分６２と、仕切り要素８の第１部分８２と、パネル１の下面（リテーナ７）の室内側部位と、ボトム要素６の第３部分６４の室内側部位から囲まれた空間から室内側の第１空間Ｓ１が形成され、ボトム要素６の第２部分６３と、仕切り要素８の第２部分８３と、パネル１の下面（リテーナ７）の室外側部位と、ボトム要素６の第３部分６４の室外側部位から囲まれた空間から室外側の第２空間Ｓ２が形成され、仕切り要素８の第１部分８２と、仕切り要素８の第２部分８３と、パネル１の下面（リテーナ７）の内外方向中央部位と、仕切り要素８の第３部分８４（ボトム要素６の第３部分６４に密着している）から囲まれた空間から内外方向の中間の第３空間Ｓ３が形成されている。
【００４３】
仕切り要素８の第１固定部８０が第３装着部Ｐ３に固定（装着）され、仕切り要素８の第２固定部８１が第４装着部Ｐ４に固定（装着）されている。仕切り要素８は、ボトム要素６の中空部内において、上端の第１固定部８０、第２固定部８１において、パネル１の下面に設けたリテーナ７に形成された第３装着部Ｐ３、第４装着部Ｐ４に固定されているので、オーバーヘッドドアの扉体の繰り返しの開閉動作時に、ボトム要素６及び仕切り要素８が繰り返し弾性変形しても、仕切り要素８が離脱したり、ボトム要素６の中空部内で移動したりすることがなく、開口部全閉時に、ボトム要素６の中空部をより確実に第１空間Ｓ１、第２空間Ｓ２、第３空間Ｓ３に内外方向に３層に分離することができる。
【００４４】
ボトム要素６に外力が作用しない状態において、ボトム要素６の第１部分６２は、パネル１の室内側面部１０と略面一の垂直面となっており、ボトム要素６の第２部分６３は、パネル１の室外側面部１１と略面一の垂直面となっている。より詳しくは、ボトム要素６の第１部分６２の垂直状の外面は、パネル１の室内側面部１０よりも僅かに室内側に位置しており、ボトム要素６の第２部分６３の垂直状の外面は、パネル１の室外側面部１１よりも僅かに室外側に位置しており、パネル１の室外側面部１１の幅方向両端部に設けた端部プレート１２３の面部と一致している。
【００４５】
ボトム要素６の第３部分６４が着床した時に、パネル１の室外側面部１１の幅方向両端部位が躯体２０の見付面２００に離間対向し、着床により垂直姿勢を概ね維持しつつ膨出状に弾性変形したボトム要素６の第２部分６３が、少なくとも高さ方向の半分以上において第１気密材９Ａ、第２気密材９Ｂの下端側部位に密着する（図３、図４参照）。図３に示す態様では、ボトム要素６の第２部分６３の上半部を含む部位が第１気密材９Ａ、第２気密材９Ｂの下端側部位に密着する。ボトム要素６の第２部分６３の上端には肉厚の肩部６３０が一体形成されており、第２部分６３の外側の垂直面と肩部６３０の水平状の上面との直角状態が可及的に維持される。なお、図３では、ボトム要素６の第２部分６３の外側の垂直面が維持された状態を示しているが、高さ方向に力が加わることで僅かに膨出変形し得る。
【００４６】
図５に示す実施形態では、仕切り要素は、最下位のパネル１の下端に内外方向に離間して固定された第１フィン８Ａと、第２フィン８Ｂと、からなる。室内側（ボトム要素６の第１部分６２に近い側）に位置する第１フィン８Ａは上端の第１固定部８０´と、室内側に向かって下向きに緩やかな湾曲状に延びる本体８２´とを備え、室外側（ボトム要素６の第２部分６３に近い側）に位置する第２フィン８Ｂは上端の第２固定部８１´と、室外側に向かって下向きに緩やかな湾曲状に延びる本体８３´とを備え、第１フィン８Ａの下端部位と第２フィン８Ｂの下端部位は互いに離間するように延びている。ボトム要素６の第３部分６４が着床した時に、第１フィン８Ａの下端部位、第２フィン８Ｂの下端部位が、それぞれ、ボトム要素６の第３部分６４に密着し、ボトム要素６の中空部内に内外方向に隣接して３室の空間Ｓ１、Ｓ２、Ｓ３が形成される。
【００４７】
図６（Ａ）、（Ｃ）に示すように、第１フィン８Ａの上端の第１固定部８０´の形状、第２フィン８Ｂの上端の第２固定部８１´の形状は、仕切り要素８の第１固定部８０の形状、第２固定部８１の形状と同一である。第１フィン８Ａの第１固定部８０´が第３装着部Ｐ３に固定（装着）され、第２フィン８Ｂの第２固定部８１´が第４装着部Ｐ４に固定（装着）されている。図５に示す実施形態において、ボトム要素６及びリテーナ７の構成は、図３に示す実施形態と同じであり、図５に係る実施形態の説明において、ボトム要素６、リテーナ７については上述の説明を援用することができる。
【００４８】
ボトム要素６の第３部分６４が着床した時に、第１フィン８Ａの下端部位、第２フィン８Ｂの下端部位が、それぞれ、ボトム要素６の第３部分６４に密着し、ボトム要素６の中空部内に内外方向に隣接して３室の空間Ｓ１、Ｓ２、Ｓ３が形成される。具体的には、ボトム要素６の第１部分６２と、第１フィン８Ａと、パネル１の下面（リテーナ７）の室内側部位と、ボトム要素６の第３部分６４の室内側部位から囲まれた空間から室内側の第１空間Ｓ１が形成され、ボトム要素６の第２部分６３と、第２フィン８Ｂと、パネル１の下面（リテーナ７）の室外側部位と、ボトム要素６の第３部分６４の室外側部位から囲まれた空間から室外側の第２空間Ｓ２が形成され、第１フィン８Ａと、第２フィン８Ｂと、パネル１の下面（リテーナ７）の内外方向中央部位と、ボトム要素６の第３部分６４から囲まれた空間から内外方向の中間の第３空間Ｓ３が形成されている。
【００４９】
なお、第１フィン８Ａ、第２フィン８Ｂの下端部位とボトム要素６の第３部分６４は、少なくとも、開口部全閉時（ボトム要素６の着床時）に密着すればよく、ボトム要素６が着床する前の時点では、第１フィン８Ａ、第２フィン８Ｂの下端部位がボトム要素６の第３部分６４に密着していても、あるいは、第１フィン８Ａ、第２フィン８Ｂの下端部位がボトム要素６の第３部分６４から離間していてもよい。
【００５０】
本実施形態では、ボトム要素６の中空部の内部空間は、仕切り要素８、あるいは、仕切り要素としての第１フィン８Ａ、第２フィンＢによって、内外方向に３室（開口幅方向に延びる第１空間Ｓ１、第２空間Ｓ２、第３空間Ｓ３）に分割されている。開口部全閉時のオーバーヘッドドアの下端部位において、室外側空間と室内側空間は、第１空間Ｓ１、第２空間Ｓ２、第３空間Ｓ３の３室の空間を介して隣接することになり、図７に示すようなボトム要素６´を採用した場合に比べて、室内側空間と室外側空間の間での熱伝達を可及的に抑制する。
【００５１】
本実施形態では、開口部全閉時において、ボトム要素６の第２部分６３が、上半部を含む少なくとも高さ方向の半分以上において第１気密材９Ａ、第２気密材９Ｂの下端側部位に密着し、パネル１の室外側面部１１の下端部位に形成され得る隙間を可及的に小さくしている。かかる隙間を減少させることによって、当該隙間を通る室内側空間と室外側空間の間の空気の流れを抑制して気密性能を向上し、もって断熱性能を向上させる。また、開口部全閉時の扉体の幅方向両端の下端部位の隙間を可及的に小さくすることによって、防塵効果、防虫効果が得られる。
【符号の説明】
【００５２】
１  パネル
１０  室内側面部（第１面部）
１１  室外側面部（第２面部）
６  ボトム要素
６２  第１部分
６３  第２部分
６３０  肩部
６４  第３部分
７  リテーナ
８  仕切り要素
８０  第１固定部
８１  第２固定部
８Ａ  第１フィン
８０´  第１固定部
８Ｂ  第２フィン
８１´  第２固定部
ＦＬ  床面
Ｓ１、Ｓ２、Ｓ３  空間
Ｐ３  第３装着部（被固定部）
Ｐ４  第４装着部（被固定部）
【図１】
2020133156.tif 000003
【図２】
2020133156.tif 000004
【図３】
2020133156.tif 000005
【図４】
2020133156.tif 000006
【図５】
2020133156.tif 000007
【図６】
2020133156.tif 000008
【図７】
2020133156.tif 000009
【図８】
2020133156.tif 000010
【図９】
2020133156.tif 000011